(57)【特許請求の範囲】
【請求項１】
道路上を移動する移動体に搭載されたデジタル放送受信装置であって、
物理チャンネルの信号を受信し、受信した前記信号の受信強度をさらに検出する受信部と、
前記受信部を制御して、前記受信部で放送信号を受信可能な物理チャンネルを検出するチャンネルスキャン制御部と、
現在位置を検出する現在位置検出部と、
前記現在位置検出部で検出された前記道路上の複数の地点における現在位置において、前記チャンネルスキャン制御部が前記受信部で放送信号を受信可能な物理チャンネルを検出した場合に、当該検出された物理チャンネルに対応付けて、当該検出された現在位置を示す位置情報と、当該現在位置を中心とする円の半径とを、前記複数の地点ごとに含む受信可能エリア情報を生成するエリアマップ生成部とを備え、
前記エリアマップ生成部は、前記検出された受信強度が強いほど、前記円の半径を大きくし、前記受信可能エリア情報に含まれる位置情報及び半径に基づいて前記複数の地点ごとに特定される円の内側の領域、並びに、前記特定される円に対して隣接する円との共通外接線と、前記特定される円及び前記隣接する円とで囲まれる領域を、受信可能エリアを示す受信可能エリア情報として生成すること
を特徴とするデジタル放送受信装置。
【請求項２】
前記現在位置検出部で検出された現在位置を前記受信可能エリアに含む物理チャンネルを特定し、当該特定された物理チャンネルに対応付けられている放送サービス情報で示される放送内容をリスト化した放送サービスリストを生成するリスト生成部をさらに備えること
を特徴とする請求項１に記載のデジタル放送受信装置。
【請求項３】
前記リスト生成部は、前記円の内側の領域を示す二次不等式と、前記円と前記共通外接線との接点で囲まれる四角形の内側の領域を示す４つの一次不等式とを前記現在位置検出部で検出された現在位置が満たす場合に、前記現在位置検出部で検出された現在位置が前記受信可能エリアに含まれると判断すること
を特徴とする請求項２に記載のデジタル放送受信装置。
【請求項４】
前記現在位置検出部で検出された現在位置を前記受信可能エリアに含む物理チャンネルがあるか否かを判断するエリア判定部をさらに備え、
前記チャンネルスキャン制御部は、前記現在位置検出部で検出された現在位置が何れの物理チャンネルの前記受信可能エリアにも含まれないと前記エリア判定部が判断した場合に、前記受信部を制御して、前記受信部で放送信号を受信可能な物理チャンネルを検出すること
を特徴とする請求項１に記載のデジタル放送受信装置。
【請求項５】
前記エリア判定部は、前記円の内側の領域を示す二次不等式と、前記円と前記共通外接線との接点で囲まれる四角形の内側の領域を示す４つの一次不等式とを前記現在位置検出部で検出された現在位置が満たす場合に、前記現在位置検出部で検出された現在位置が前記受信可能エリアに含まれると判断すること
を特徴とする請求項４に記載のデジタル放送受信装置。
【請求項６】
道路上を移動する移動体に搭載されたデジタル放送受信装置のデジタル放送受信方法であって、
物理チャンネルの信号を受信し、受信した前記信号の受信強度をさらに検出する受信過程と、
前記受信過程で放送信号を受信可能な物理チャンネルを検出するチャンネルスキャン制御過程と、
現在位置を検出する現在位置検出過程と、
前記現在位置検出過程で検出された前記道路上の複数の地点における現在位置において、前記チャンネルスキャン制御過程が前記受信過程で放送信号を受信可能な物理チャンネルを検出した場合に、当該検出された物理チャンネルに対応付けて、当該検出された現在位置を示す位置情報と、当該現在位置を中心とする円の半径とを、前記複数の地点ごとに含む受信可能エリア情報を生成するエリアマップ生成過程とを備え、
前記エリアマップ生成過程は、前記検出された受信強度が強いほど、前記円の半径を大きくし、前記受信可能エリア情報に含まれる位置情報及び半径に基づいて前記複数の地点ごとに特定される円の内側の領域、並びに、前記特定される円に対して隣接する円との共通外接線と、前記特定される円及び前記隣接する円とで囲まれる領域を、受信可能エリアを示す受信可能エリア情報として生成すること
を特徴とするデジタル放送受信方法。
【請求項７】
前記現在位置検出過程で検出された現在位置を前記受信可能エリアに含む物理チャンネルを特定し、当該特定された物理チャンネルに対応付けられている放送サービス情報で示される放送内容をリスト化した放送サービスリストを生成するリスト生成過程をさらに備えること
を特徴とする請求項６に記載のデジタル放送受信方法。
【請求項８】
前記リスト生成過程は、前記円の内側の領域を示す二次不等式と、前記円と前記共通外接線との接点で囲まれる四角形の内側の領域を示す４つの一次不等式とを前記現在位置検出過程で検出された現在位置が満たす場合に、前記現在位置検出過程で検出された現在位置が前記受信可能エリアに含まれると判断すること
を特徴とする請求項７に記載のデジタル放送受信方法。
【請求項９】
前記現在位置検出過程で検出された現在位置を前記受信可能エリアに含む物理チャンネルがあるか否かを判断するエリア判定過程をさらに備え、
前記チャンネルスキャン制御過程は、前記現在位置検出過程で検出された現在位置が何れの物理チャンネルの前記受信可能エリアにも含まれないと前記エリア判定過程が判断した場合に、前記受信過程を制御して、前記受信過程で放送信号を受信可能な物理チャンネルを検出すること
を特徴とする請求項６に記載のデジタル放送受信方法。
【請求項１０】
前記エリア判定過程は、前記円の内側の領域を示す二次不等式と、前記円と前記共通外接線との接点で囲まれる四角形の内側の領域を示す４つの一次不等式とを前記現在位置検出過程で検出された現在位置が満たす場合に、前記現在位置検出過程で検出された現在位置が前記受信可能エリアに含まれると判断すること
を特徴とする請求項９に記載のデジタル放送受信方法。
【発明の詳細な説明】
【技術分野】
【０００１】
本発明は、デジタル放送受信装置及びデジタル放送受信方法に関する。
【背景技術】
【０００２】
デジタル放送受信装置を搭載する移動体が、デジタル放送受信装置が受信している物理チャンネルの受信可能エリア内から受信可能エリア外に移動した場合には、正常に受信できていた物理チャンネルが提供する放送サービスの放送信号を受信できなくなる。この場合には、従来、ユーザの手動操作でデジタル放送受信装置にチャンネルスキャンを実行させることによって、受信可能な物理チャンネルを検出させ、ユーザが、その中から同じ放送サービスを提供する物理チャンネルを選局していた。ここで、物理チャンネルは、特定の周波数帯域幅を１つの単位として定義したチャンネルのことである。
【０００３】
また、上記手動操作を必要としない、放送信号の選局機能を備えたデジタル放送受信装置が、例えば、特許文献１に開示されている。特許文献１で開示されたデジタル放送受信装置は、第１のチューナ・復調部で番組を視聴するとともに、第２のチューナ・復調部で物理チャンネルをスキャンすることにより受信可能な物理チャンネルを検出し、現在位置情報と検出した物理チャンネルの放送サービス情報とから受信可能エリアを含む放送エリアマップを作る。このデジタル放送受信装置は、受信可能エリアを示す多角形の頂点を直交座標系の座標で記録している。そして、このデジタル放送受信装置は、選局時に、放送エリアマップから現在位置で受信可能な放送サービスのリストを生成し、このリストを用いて物理チャンネルの切り替えを行う。
【先行技術文献】
【特許文献】
【０００４】
【特許文献１】特開２０１１−０６１７５３号公報
【発明の概要】
【発明が解決しようとする課題】
【０００５】
しかしながら、特許文献１に記載のデジタル放送受信装置は、受信可能エリアを示す多角形の頂点を直交座標系の座標で記録しているため、放送エリアマップを生成するには最低３地点の位置情報が必要となり、放送エリアマップを生成するのに３地点分の計測時間を必要とする。
【０００６】
また、特許文献１に記載のデジタル放送受信装置は、放送エリアマップを生成する位置情報の数が少ないときは、位置情報で示される位置によっては実際の放送エリアとの誤差が大きくなることがある。
【０００７】
そこで、本発明は、迅速かつ正確に受信可能エリアを特定することができるようにすることを目的とする。
【課題を解決するための手段】
【０００８】
本発明の一態様に係るデジタル放送受信装置は、道路上を移動する移動体に搭載されたデジタル放送受信装置であって、物理チャンネルの信号を受信し、受信した信号の受信強度をさらに検出する受信部と、受信部を制御して、受信部で放送信号を受信可能な物理チャンネルを検出するチャンネルスキャン制御部と、現在位置を検出する現在位置検出部と、現在位置検出部で検出された道路上の複数の地点における現在位置において、チャンネルスキャン制御部が受信部で放送信号を受信可能な物理チャンネルを検出した場合に、当該検出された物理チャンネルに対応付けて、当該検出された現在位置を示す位置情報と、当該現在位置を中心とする円の半径とを、複数の地点ごとに含む受信可能エリア情報を生成するエリアマップ生成部とを備え、エリアマップ生成部は、検出された受信強度が強いほど、円の半径を大きくし、受信可能エリア情報に含まれる位置情報及び半径に基づいて複数の地点ごとに特定される円の内側の領域、並びに、特定される円に対して隣接する円との共通外接線と、特定される円及び隣接する円とで囲まれる領域を、受信可能エリアを示す受信可能エリア情報として生成することを特徴とする。
また、本発明の一態様に係るデジタル放送受信方法は、道路上を移動する移動体に搭載されたデジタル放送受信装置のデジタル放送受信方法であって、物理チャンネルの信号を受信し、受信した信号の受信強度をさらに検出する受信過程と、受信過程で放送信号を受信可能な物理チャンネルを検出するチャンネルスキャン制御過程と、現在位置を検出する現在位置検出過程と、現在位置検出過程で検出された道路上の複数の地点における現在位置において、チャンネルスキャン制御過程が受信過程で放送信号を受信可能な物理チャンネルを検出した場合に、当該検出された物理チャンネルに対応付けて、当該検出された現在位置を示す位置情報と、当該現在位置を中心とする円の半径とを、複数の地点ごとに含む受信可能エリア情報を生成するエリアマップ生成過程とを備え、エリアマップ生成過程は、検出された受信強度が強いほど、円の半径を大きくし、受信可能エリア情報に含まれる位置情報及び半径に基づいて複数の地点ごとに特定される円の内側の領域、並びに、特定される円に対して隣接する円との共通外接線と、特定される円及び隣接する円とで囲まれる領域を、受信可能エリアを示す受信可能エリア情報として生成することを特徴とする。
【発明の効果】
【０００９】
本発明の一態様によれば、迅速かつ正確に受信可能エリアを特定することができる。
【図面の簡単な説明】
【００１０】
【図１】実施の形態１及び２に係るデジタル放送受信装置の構成を概略的に示すブロック図である。
【図２】実施の形態１における放送エリアマップ情報の一例を示す概略図である。
【図３】実施の形態１に係るデジタル放送受信装置が保持する放送エリアマップ情報に含まれている受信可能エリアを示す概略図である。
【図４】実施の形態１における生成済みエリア情報の一例を示す概略図である。
【図５】実施の形態１に係るデジタル放送受信装置のリスト生成部による放送サービスリスト生成処理を示すフローチャートである。
【図６】実施の形態１における現在位置が受信可能エリアに含まれるか否かの判定処理を示すフローチャートである。
【図７】（ａ）〜（ｇ）は、受信可能エリアを分割した分割領域を示す概略図である。
【図８】実施の形態１に係るデジタル放送受信装置による放送エリアマップ情報未生成エリア判定処理を示すフローチャートである。
【図９】実施の形態１に係るデジタル放送受信装置によるチャンネルスキャン時の動作を示すフローチャートである。
【図１０】実施の形態１における確実チャンネルスキャン時の動作（サブルーチン）を示すフローチャートである。
【図１１】実施の形態１における高速チャンネルスキャン時の動作（サブルーチン）を示すフローチャートである。
【図１２】実施の形態１における生成済みエリア情報の拡張処理を示すフローチャートである。
【図１３】実施の形態１における生成済みエリア情報の拡張処理の一例を示す概略図である。
【図１４】実施の形態１に係るデジタル放送受信装置の効果を説明する概略図である。
【図１５】実施の形態２に係るデジタル放送受信装置による放送エリアマップ情報未生成エリア判定処理を示すフローチャートである。
【図１６】実施の形態１又は２の変形例に係るデジタル放送受信装置の構成を概略的に示すブロック図である。
【発明を実施するための形態】
【００１１】
実施の形態１．
図１は、実施の形態１に係るデジタル放送受信装置１００の構成を概略的に示すブロック図である。デジタル放送受信装置１００は、第１アンテナ１１０と、第１受信部１１１と、第１デマルチプレクス部１１２と、デコード部１１３と、グラフィクス重畳部１１４と、映像出力部１１５と、音声出力部１１６と、操作入力部１１７と、選局制御部１１８とを備える。また、デジタル放送受信装置１００は、第２アンテナ１２０と、第２受信部１２１と、第２デマルチプレクス部１２２と、受信モード切替部１２３と、チャンネルスキャン制御部１２４と、第３アンテナ１３０と、現在位置検出部１３１と、エリアマップ生成部１３２と、エリアマップ格納部１３３と、エリア判定部１３４と、リスト生成部１３５とを備える。なお、第１受信部１１１及び第２受信部１２１により受信部が構成される。また、図１の括弧内の符号は、実施の形態２における構成を示している。
【００１２】
第１アンテナ１１０及び第１受信部１１１は、第１系統の放送受信部を構成している。また、第２アンテナ１２０及び第２受信部１２１は、第２系統の放送受信部を構成している。第１アンテナ１１０及び第１受信部１１１により構成される系統と、第２アンテナ１２０及び第２受信部１２１により構成される系統とは、互いに独立して動作することができる。そして、デジタル放送受信装置１００では、受信モード切替部１２３が、デジタル放送受信装置１００における動作モードである、シングルチューナモード及びダブルチューナモードを切り替える。
【００１３】
第１アンテナ１１０は、電波から信号を生成する。そして、第１アンテナ１１０は、生成した信号を第１受信部１１１に与える。
【００１４】
第１受信部１１１は、シングルチューナモードでは、第１アンテナ１１０から与えられた信号に対して、選局、復調及び誤り訂正を実施して受信信号、例えば、ＴＳ（Ｔｒａｎｓｐｏｒｔ  Ｓｔｒｅａｍ）を生成する。そして、第１受信部１１１は、生成した受信信号と、第２受信部１２１及び受信モード切替部１２３を介して受け取った受信信号とをダイバーシティ合成することにより、安定性の高い１つの受信信号を生成する。そして、第１受信部１１１は、ダイバーシティ生成した受信信号を第１デマルチプレクス部１１２に与える。一方、第１受信部１１１は、ダブルチューナモードでは、第１アンテナ１１０から与えられた信号に対して、選局、復調及び誤り訂正を実施して受信信号を生成し、この受信信号を第１デマルチプレクス部１１２に与える。
また、第１受信部１１１は、Ｃ／Ｎ、ビットエラーレート、チューナのＰＬＬ（Ｐｈａｓｅ  Ｌｏｃｋｅｄ  Ｌｏｏｐ）ロック情報及びＯＦＤＭ（直交周波数分割多重）フレームのロック情報を選局制御部１１８に通知する。
【００１５】
第１デマルチプレクス部１１２は、第１受信部１１１から受け取った受信信号から、映像データ（例えば、映像パケット）及び音声データ（例えば、音声パケット）を分離する。そして、第１デマルチプレクス部１１２は、分離した映像データ及び音声データをデコード部１１３に与える。
また、第１デマルチプレクス部１１２は、セクションデータ（例えば、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）情報等）の途絶の通知を選局制御部１１８に与える。
【００１６】
デコード部１１３は、第１デマルチプレクス部１１２から受け取った映像データ及び音声データをデコードして、映像信号及び音声信号を生成する。そして、デコード部１１３は、生成した映像信号をグラフィックス重畳部１１４に与え、生成した音声信号を音声出力部１１６に与える。
また、デコード部１１３は、デコードエラーレートの情報を選局制御部１１８に通知する。
【００１７】
グラフィックス重畳部１１４は、デコード部１１３から与えられた映像信号に基づく映像とグラフィックスとを重畳する。このグラフィックスは、例えば、リスト生成部１３５から与えられたグラフィックスデータに基づくものである。
映像出力部１１５は、グラフィックス重畳部１１４から出力される映像信号に基づく映像を出力する。例えば、映像出力部１１５は、ディスプレイ等により構成されていてもよく、また、映像出力端子により構成されていてもよい。
音声出力部１１６は、デコード部１１３から与えられた音声信号に基づく音声を出力する。例えば、音声出力部１１６は、スピーカ等により構成されていてもよく、また、音声出力端子により構成されていてもよい。
【００１８】
操作入力部１１７は、ユーザからの操作の入力を受け付ける。そして、操作入力部１１７は、入力された操作を示す操作情報を選局制御部１１８に与える。
【００１９】
選局制御部１１８は、デジタル放送受信装置１００での処理を統括的に制御する。特に、選局制御部１１８は、物理チャンネルを選局する処理を制御する。例えば、選局制御部１１８は、操作入力部１１７が選局要求の入力を受けると、エリアマップ格納部１３３を参照し、選局すべき物理チャンネルを特定し、第１受信部１１１に選局の指示を出す。また、選局制御部１１８は、第１受信部１１１、第１デマルチプレクス部１１２及び第１デコード部１１３からの通知により、信号の受信状態が悪化したか否かを判断する。そして、選局制御部１１８は、信号の受信状態が悪化したと判断すると、エリアマップ格納部１３３にアクセスして、現在位置で同一番組を放送している可能性の高い、中継局、系列局、又は、異なる物理チャンネルで放送されている同一放送サービス名の放送局を検索する。もし、受信可能な同一番組を放送している放送サービスがあれば、選局制御部１１８は、自動選局切替えを行うため、第１受信部１１１に通知する。
【００２０】
第２アンテナ１２０は、電波から信号を生成する。そして、第２アンテナ１２０は、生成した信号を第２受信部１２１に与える。
第２受信部１２１は、第２アンテナ１２０から与えられた信号に対して、選局、復調及び誤り訂正を実施して受信信号を生成する。そして、第２受信部１２１は、シングルチューナモードでは、受信モード切替部１２３を介して、生成した受信信号を第１受信部１１１に与える。一方、第２受信部１２１は、ダブルチューナモードでは、生成した受信信号を第２デマルチプレクス部１２２に与える。また、第２受信部１２１は、受信した信号の受信強度を検出して、この受信強度をチャンネルスキャン制御部１２４に与える。受信強度としては、受信電力、Ｃ／Ｎ比（搬送波対雑音比）及びＰＥＲ（パケットエラー率）の何れか、又は、これらの複数の組み合わせが使用される。受信電力とＣ／Ｎ比は、大きいほど受信強度が強く、ＰＥＲは、小さいほど受信強度が強いことを表す。
第２デマルチプレクス部１２２は、第２受信部１２１から受け取った受信信号から、放送内容に関するセクションデータを分離する。そして、第２デマルチプレクス部１２２は、分離したセクションデータをチャンネルスキャン制御部１２４及びエリアマップ生成部１３２に与える。さらに、第２デマルチプレクス部１２２は、第２受信部１２１から与えられた受信強度をエリアマップ生成部１３２に与える。
【００２１】
受信モード切替部１２３は、各系統（ここでは、第１系統及び第２系統）の放送受信部においてそれぞれ復調された受信信号が出力されるダブルチューナモードと、複数の系統の受信信号をダイバーシティ処理して合成することにより受信安定性の高い１つの受信信号が第１受信部１１１から出力されるシングルチューナモードとを切り替える。この切り替えは、切替制御信号によってチャンネルスキャン制御部１２４から受信モード切替部１２３に切替えが指示された場合に実施される。
【００２２】
チャンネルスキャン制御部１２４は、第２受信部１２１及び第２デマルチプレクス部１２２を制御して、チャンネルスキャンを実行する。チャンネルスキャンでは、第２受信部１２１は、物理チャンネルを選局し、チャンネルスキャン制御部１２４は、受信可能な物理チャンネル、言い換えると、放送信号を受信することのできる物理チャンネルを検出する。なお、チャンネルスキャン制御部１２４が制御するチャンネルスキャンは、第１受信部１１１による番組視聴用の選局と並行して、視聴者が気付かない状態で実行される（番組視聴の裏側で実行される）ので、「裏チャンネルスキャン」ともいう。なお、以下では、特に区別する必要が有る場合にのみ、「裏チャンネルスキャン」といい、通常のチャンネルスキャンと特別区別する必要がない場合は、両方をあわせて「チャンネルスキャン」という。
【００２３】
第３アンテナ１３０は、現在位置検出用のアンテナであり、例えば、ＧＰＳアンテナにより構成される。
現在位置検出部１３１は、第３アンテナ１３０からの信号より現在位置を検出する。現在位置検出部１３１は、検出した現在位置を選局制御部１１８、エリアマップ生成部１３２、エリア判定部１３４及びリスト生成部１３５に通知する。
【００２４】
エリアマップ生成部１３２は、第２デマルチプレクス部１２２から受け取ったセクションデータと、現在位置検出部１３１から通知された現在位置とに基づいて、放送エリアマップ情報及び生成済みエリア情報を生成し、エリアマップ格納部１３３に格納する。
放送エリアマップ情報は、放送サービス毎に、放送信号を受信可能なエリアを示す受信可能エリア情報を含む。放送エリアマップ情報は、操作入力部１１７が選局要求の入力を受けたときに、選局すべき物理チャンネルを特定するために利用される。また、放送エリアマップ情報は、デジタル放送受信装置１００の移動に伴い、選局中の物理チャンネルの信号の受信状態が悪化したときに、その放送サービスと同じ放送サービスの物理チャンネル（他の物理チャンネル）に自動切替えを行うために利用される。
生成済みエリア情報は、受信可能エリア情報を生成済みのエリアを示す生成済みエリア情報を含む。エリアマップ生成部１３２は、チャンネルスキャン制御部１２４によるチャンネルスキャンが終了すると、受信可能な物理チャンネルの有無に拘わらず、生成済みエリア情報にチャンネルスキャンを行った現在位置を示す位置情報を格納する。
【００２５】
エリアマップ格納部１３３は、放送エリアマップ情報及び生成済みエリア情報を記憶する。
【００２６】
図２は、放送エリアマップ情報の一例を示す概略図である。図２に示されている放送エリアマップ情報１４１は、物理チャンネル欄１４１ａと、ＴＳ名／アンサンブル名欄１４１ｂと、放送サービス名欄１４１ｃと、受信可能エリアの中心座標欄１４１ｄと、受信可能エリアの半径欄１４１ｅと、中継局チャンネル欄１４１ｆと、系列局チャンネル欄１４１ｇとを有するテーブル形式の情報である。
物理チャンネル欄１４１ａは、物理チャンネルを識別するための物理チャンネル識別情報を格納する。実施の形態１では、物理チャンネル識別情報は、物理チャンネルの番号である。
ＴＳ名／アンサンブル名欄１４１ｂは、放送事業者を識別するための放送事業者識別情報を格納する。ここで、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）、ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）、ＤＴＭＢ（Ｄｉｇｉｔａｌ  Ｔｅｒｒｅｓｔｒｉａｌ  Ｍｕｌｔｉｍｅｄｉａ  Ｂｒｏａｄｃａｓｔ）及びＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）の各デジタル放送規格の場合には、放送事業者識別情報として、ＴＳ名が使用される。また、ＤＡＢ（Ｄｉｇｉｔａｌ  Ａｕｄｉｏ  Ｂｒｏａｄｃａｓｔ）、ＤＡＢ＋（Ｄｉｇｉｔａｌ  Ａｕｄｉｏ  Ｂｒｏａｄｃａｓｔ  ｐｌｕｓ）、ＤＭＢ（Ｄｉｇｉｔａｌ  Ｍｕｌｔｉｍｅｄｉａ  Ｂｒｏａｄｃａｓｔｉｎｇ）の各デジタル放送規格の場合には、放送事業者識別情報として、アンサンブル名が使用される。
放送サービス名欄１４１ｃは、放送事業者が提供している放送サービスを識別するための放送サービス識別情報を格納する。実施の形態１では、放送サービス識別情報として、放送サービス名（編成チャンネル名）が使用される。
なお、ＴＳ名／アンサンブル名欄１４１ｂ及び放送サービス名欄１４１ｃに格納される情報により、選局単位となる放送サービスを提供している放送局を識別することができる。
【００２７】
受信可能エリアの中心座標欄１４１ｄは、物理チャンネル欄１４１ａで特定される物理チャンネルで、ＴＳ名／アンサンブル名欄１４１ｂで特定される放送事業者による、放送サービス名欄１４１ｃで特定される放送サービスにおける放送信号を受信することのできた位置の座標の値を格納する。ここでは、座標として、経度（Ｘ座標位置）をＸ座標軸とし、緯度（Ｙ座標位置）をＹ座標軸とする直交座標系が用いられている。
受信可能エリアの半径欄１４１ｅは、受信可能エリアの中心座標欄１４１ｄで特定される地点（位置）における放送信号の受信強度に応じた半径の値を格納する。例えば、半径は、放送信号の受信強度が強いほど大きな値となっている。なお、実施の形態１においては、受信強度により円の半径が特定されているが、その他の情報により円の半径が特定されてもよい。
ここで、受信可能エリアの中心座標欄１４１ｄ及び受信可能エリアの半径欄１４１ｅは、時系列順に座標及び半径の値をそれぞれ格納することにより、どの座標における半径の値なのかを特定することができるようになっている。
なお、受信可能エリアの中心座標欄１４１ｄ及び受信可能エリアの半径欄１４１ｅに格納されている値により、物理チャンネル欄１４１ａで特定される物理チャンネルで、ＴＳ名／アンサンブル名欄１４１ｂで特定される放送事業者による、放送サービス名欄１４１ｃで特定される放送サービスにおける放送信号を受信することのできる受信可能エリアを示す受信可能エリア情報が構成される。
【００２８】
中継局チャンネル欄１４１ｆは、物理チャンネル欄１４１ａで特定される物理チャンネルで、ＴＳ名／アンサンブル名欄１４１ｂで特定される放送事業者が、放送サービス名欄１４１ｃで特定される放送サービスの放送信号を送信している中継局の物理チャンネルを示す中継局情報を格納する。
系列局チャンネル欄１４１ｇは、物理チャンネル欄１４１ａで特定される物理チャンネルで、ＴＳ名／アンサンブル名欄１４１ｂで特定される放送事業者の系列局の物理チャンネルを示す系列局情報を格納する。
【００２９】
なお、図２では、各物理チャンネル中に１つのＴＳ又は１つのアンサンブルが存在し、さらにその中に１つのサービスが含まれている例を示しているが、この例に限定されるものではない。１つのＴＳ又はアンサンブルが、複数のサービスを持っていてもよい。なお、放送事業者識別情報は、ＴＳ名又はアンサンブル名に限られるものではない。また、サービス識別情報もサービス名に限られるものではない。
【００３０】
図２に示されているように、チャンネルスキャンにより受信されたセクションデータから中継局の物理チャンネル及び系列局の物理チャンネルが取得され、これらの物理チャンネルを示す情報が、放送エリアマップ情報１４１に格納されていることで、選局制御部１１８は、信号の受信状態が悪化したときに、同一番組を放送している可能性の高い代替物理チャンネルを容易に把握することができ、短時間での自動切替えを実現できる。また、放送サービス名が同一の物理チャンネルは、同一の番組を放送している可能性が高いので、放送エリアマップ情報１４１には、放送サービス名をも格納されていることが望ましい。さらに、放送エリアマップ情報１４１には、放送波から取得できるその他の情報もあわせて格納されていてもよい。なお、ネットワーク情報テーブル（ＮＩＴ：Ｎｅｔｗｏｒｋ  Ｉｎｆｏｒｍａｔｉｏｎ  Ｔａｂｌｅ）の中に含まれている地上分配システム識別子（Ｔｅｒｒｅｓｔｒｉａｌ  Ｄｅｌｉｖｅｒｙ  Ｓｙｓｔｅｍ  Ｄｅｓｃｒｉｐｔｏｒ）の中に、中継局の周波数が記述されているため、エリアマップ生成部１３２は、この情報により中継局を特定する。また、ブロードキャスタ情報テーブル（ＢＩＴ：Ｂｒｏａｄｃａｓｔｅｒ  Ｉｎｆｏｒｍａｔｉｏｎ  Ｔａｂｌｅ）の中に含まれている拡張ブロードキャスタ記述子（Ｅｘｔｅｎｄｅｄ  Ｂｒｏａｄｃａｓｔｅｒ  Ｄｅｓｃｒｉｐｔｏｒ）の中に、系列識別が記述されているため、エリアマップ生成部１３２は、この情報により系列局を特定する。
【００３１】
図３は、実施の形態１に係るデジタル放送受信装置１００が保持する放送エリアマップ情報１４１に含まれている受信可能エリアを示す概略図である。実施の形態１においては、受信可能エリアは、複数の円で表される領域と、隣接する円の共通外接線で囲まれる領域とにより定められる。図３に示されている受信可能エリアＡＲ１は、線分Ａ１０−Ａ１１と、円弧Ａ１１−Ｄ１１と、線分Ｄ１１−Ｅ１（ｍ−１）と、線分Ｅ１（ｍ−１）−Ｂ１ｍ、円弧Ｂ１ｍ−Ｅ１ｍ−Ａ１ｍと、線分Ａ１ｍ−Ａ１（ｍ−１）と、円弧Ａ１（ｍ−１）−Ｃ１（ｍ−１）と、線分Ｃ１（ｍ−１）−Ｅ１１と、線分Ｅ１１−Ｂ１０と、円弧Ｂ１０−Ｅ１０−Ａ１０とで特定される領域の内側のエリアである。ここで、線分Ａ１０−Ａ１１と線分Ｂ１０−Ｂ１１とは、位置Ｐ１０を中心とする半径ｒ１０の円と、位置Ｐ１１を中心とする半径ｒ１１の円との共通外接線である。線分Ｄ１1−Ｄ１（ｍ−１）と線分Ｃ１１Ｃ１（ｍ−１）とは、位置Ｐ１１を中心とする半径ｒ１１の円と、位置Ｐ１ｍ−１を中心とする半径ｒ１（ｍ−１）の円との共通外接線である。線分Ｂ１ｍ−Ｂ１（ｍ−１）と線分Ａ１ｍ−Ａ１（ｍ−１）とは、位置Ｐ１ｍを中心とする半径ｒ１ｍの円と、位置Ｐ１ｍ−１を中心とする半径ｒ１（ｍ−１）の円との共通外接線である。点Ｅ１１は、線分Ｂ１０−Ｂ１１と、線分Ｃ１１−Ｃ１（ｍ−１）との交点である。点Ｅ１（ｍ−１）は、線分Ｄ１１−Ｄ１（ｍ−１）と、線分Ｂ１（ｍ−１）−Ｂ１ｍとの交点である。なお、半径ｒ１０、半径ｒ１１、半径ｒ１（ｍ―１）及び半径ｒ１ｍは、それぞれ、位置Ｐ１０、位置Ｐ１１、位置Ｐ１ｍ−１及び位置Ｐ１ｍでの信号の受信強度に応じて設定される。一般に、受信強度が強ければ半径は大きくなり、受信強度が弱ければ半径は小さくなる。
【００３２】
図４は、生成済みエリア情報の一例を示す概略図である。図４に示されている生成済みエリア情報１４２は、生成済みエリア名欄１４２ａと、更新日欄１４２ｂと、生成済みエリアの頂点座標欄１４２ｃとを備える。
【００３３】
生成済みエリア名欄１４２ａは、各領域を識別するための領域識別情報を格納する。実施の形態１においては、領域識別情報として、領域の名称が使用される。
更新日欄１４２ｂは、生成済みエリアの頂点座標欄１４２ｃを更新した年月日を格納する。
生成済みエリアの頂点座標欄１４２ｃは、チャンネルスキャンが実施された位置の座標の値を格納する。ここでは、座標として、経度（Ｘ座標位置）をＸ座標軸とし、緯度（Ｙ座標位置）をＹ座標軸とする直交座標系が用いられている。
ここで、生成済みエリアの頂点座標欄１４２ｃに格納されている座標を頂点とする多角形の内側のエリアが、放送エリアマップ情報１４１を生成済みのエリア（生成済みエリア）を示すものとする。
なお、生成済みエリアの頂点座標欄１４２ｃには、生成済みエリアを構成する頂点の座標（チャンネルスキャンが行われた位置を示す位置情報）が、例えば、時計回りの順に格納される。
また、生成済みエリア情報１４２の各レコードには、生成済みエリアの頂点座標欄１４２ｃに格納されている座標の値を頂点とする多角形を構成する辺の一次関数の傾き、切片及び他の頂点が存在する方向を示す不等号が対応付けられているものとする。
なお、生成済みエリアの頂点座標欄１４２ｃに格納された座標で示される多角形で示される生成済みエリアは、１つではなく複数の場合がある。例えば、デジタル放送受信装置１００の電源が切られて、再度電源が入れられた場合において、現在位置検出部１３１で検出された現在位置が、生成済みエリアの頂点座標欄１４２ｃに格納された座標で示される多角形の外部であり、かつ、当該多角形までの距離が予め定められた距離の閾値よりも長いときには、エリアマップ生成部１３２は、既存の多角形に現在位置を追加するのではなく、生成済みエリア情報１４２に新たなレコードを追加して、現在位置の座標を格納する。現在位置から多角形までの距離は、例えば、現在位置から当該多角形を構成する何れかの辺又は何れかの点までの距離、若しくは、現在位置から当該多角形の重心までの距離で特定することができる。
【００３４】
図１の説明に戻り、エリア判定部１３４は、エリアマップ格納部１３３に記憶されている生成済みエリア情報１４２を参照して、現在位置検出部１３１から通知された現在位置に対応する放送エリアマップ情報１４１が生成済みであるか否かを判断する。例えば、エリア判定部１３４は、現在位置検出部１３１から通知された現在位置が、エリアマップ格納部１３３に記憶されている生成済みエリア情報１４２で示される生成済みエリアに含まれる場合には、放送エリアマップ情報１４１が生成済みであると判断する。
【００３５】
リスト生成部１３５は、エリアマップ格納部１３３に格納されている放送エリアマップ情報１４１を参照して、現在位置検出部１３１によって検出された現在位置において受信可能な物理チャンネルが提供する放送サービスの放送内容をリスト化した放送サービスリストを生成する。
【００３６】
図５は、実施の形態１に係るデジタル放送受信装置１００のリスト生成部１３５による放送サービスリスト生成処理を示すフローチャートである。例えば、図５のフローは、現在位置検出部１３１から通知された現在位置の変化量がある閾値を超えたときに開始される。
リスト生成部１３５は、現在位置検出部１３１から通知された現在位置を元にエリアマップ格納部１３３に記憶されている放送エリアマップ情報１４１を検索する（Ｓ１０）。例えば、リスト生成部１３５は、受信可能エリアに通知された現在位置を含む、放送エリアマップ情報１４１のレコードを特定する。
【００３７】
次に、リスト生成部１３５は、ステップＳ１０で特定されたレコードより、現在位置で受信可能な放送サービスの放送内容を示す情報を含む放送サービスリストを生成し、グラフィックス重畳部１１４を介して、生成した放送サービスリストを含む映像信号を映像出力部１１５に出力する（Ｓ１１）。これにより、映像出力部１１５は、放送サービスリストを表示する。なお、放送サービスリストは、エリアマップ格納部１３３に記憶されている放送サービス情報に基づいて生成される。
ユーザは、表示された放送サービスリストを参照し、操作入力部１１７で視聴したい放送サービスを選択する。操作入力部１１７からの放送サービス選局要求が選局制御部１１８に入力されると、選局制御部１１８は、エリアマップ格納部１３３を参照し、選局すべき物理チャンネルを把握し、第１受信部１１１に選局の指示を出す。これにより、第１のデマルチプレクス部１１２及びデコード部１１３を経由して出力された信号に基づいて、映像出力部１１５及び音声出力部１１６が、映像及び音声を出力する。
【００３８】
図６は、図５のステップＳ１０において必要となる、現在位置が受信可能エリアに含まれるか否かの判定処理を示すフローチャートである。
【００３９】
まず、エリア判定部１３４は、放送エリアマップ情報１４１の受信可能エリアの中心座標欄１４１ｄ及び受信可能エリアの半径欄１４１ｅで特定される受信可能エリアを円及び四角形の領域に分割する（Ｓ２０）。エリア判定部１３４による具体的な分割例を、図７を用いて説明する。
【００４０】
図７（ａ）〜（ｇ）は、図３に示されている受信可能エリアＡＲ１を分割した分割領域を示す概略図である。ここでは、図３に示されている受信可能エリアＡＲ１を７つの領域に分割している。
図７（ａ）に示されているように、エリア判定部１３４は、図３に示されている受信可能エリアＡＲ１から、位置Ｐ１０を中心とする半径ｒ１０の円である分割領域ＤＡＲ１１を分割する。
また、図７（ｂ）に示されているように、エリア判定部１３４は、図３に示されている受信可能エリアＡＲ１から、位置Ｐ１０を中心とする円及び位置Ｐ１１を中心とする円の共通外接線と、これらの２つの円との接点Ａ１０、Ａ１１、Ｂ１１、Ｂ１０を結んでできる四角形である分割領域ＤＡＲ１２を分割する。なお、接点Ａ１０、Ａ１１、Ｂ１１、Ｂ１０の結び方には、６通りの結び方があるが、エリア判定部１３４は、これらの結び方から以下のようにして、４通りの結び方を選択する。これらの接点を通る直線の内、接点Ａ１０を通る直線は、接点Ａ１０及び接点Ａ１１を通る直線、接点Ａ１０及び接点Ｂ１０を通る直線、並びに、接点Ａ１０及び接点Ｂ１１を通る直線である。これらの直線の内、接点Ａ１０及び接点Ｂ１１を通る直線については、残りの接点が上方及び下方の異なる領域にそれぞれ含まれる。このような場合には、線分Ａ１０−Ｂ１１は、分割領域ＤＡＲ１２を構成する線分（辺）として選択されない。一方、接点Ａ１０及び接点Ａ１１を通る直線、並びに、接点Ａ１０及び接点Ｂ１０を通る直線については、他の接点が上方及び下方の何れか一方の領域に飲み含まれるので、分割領域ＤＡＲ１２を構成する線分として選択される。以下、同様の判断を接点毎に行うことで、分割領域ＤＡＲ１２を構成する線分を特定する。なお、分割領域ＤＡＲ１４及び分割領域ＤＡＲ１６についても、同様な判断により、構成する線分が特定される。
また、図７（ｃ）に示されているように、エリア判定部１３４は、位置Ｐ１１を中心とする半径ｒ１１の円である分割領域ＤＡＲ１３を分割する。
また、図７（ｄ）に示されているように、エリア判定部１３４は、位置Ｐ１１を中心とする円及び位置Ｐ１ｍ−１を中心とする円の共通外接線と、これらの２つの円との接点Ｃ１１、Ｃ１（ｍ−１）、Ｄ１（ｍ−1）、Ｄ１１を結んでできる四角形である分割領域ＤＡＲ１４を分割する。
また、図７（ｅ）に示されているように、エリア判定部１３４は、位置Ｐ１ｍ−１を中心とする半径ｒ１（ｍ−１）の円である分割領域ＤＡＲ１５を分割する。
また、図７（ｆ）に示されているように、エリア判定部１３４は、位置Ｐ１ｍ−１を中心とする円及び位置Ｐ１ｍを中心とする円の共通外接線と、これらの２つの円との接点Ａ１（ｍ−１）、Ａ１ｍ、Ｂ１ｍ、Ｂ１（ｍ−１）を結んでできる四角形である分割領域ＤＡＲ１６を分割する。
また、図７（ｇ）に示されているように、エリア判定部１３４は、位置Ｐ１ｍを中心とする半径ｒ１ｍの円である分割領域ＤＡＲ１７を分割する。
【００４１】
図６のフローチャートの説明に戻り、ステップＳ２１において、エリア判定部１３４は、現在位置が含まれるか否かを未判定の分割領域から１つの領域を抽出する。
【００４２】
次に、エリア判定部１３４は、現在位置がステップＳ２１で抽出された分割領域に含まれるか否かを判断する（Ｓ２２）。
例えば、エリア判定部１３４は、ステップＳ２１で抽出した分割領域を不等式で表し、この不等式に現在位置の経度（Ｘ座標位置）と緯度（Ｙ座標位置）を代入し、不等式が成立するか否かで現在位置が分割領域に含まれているか否かを判定する。
【００４３】
例えば、図７に示されている７つの領域のうち、円形領域については、以下の（１）式〜（４）式で表される不等式により現在位置が分割領域に含まれるか否かを判定する。
まず、分割領域ＤＡＲ１１は、
【数１】
0005959303.tif 000002
により、現在位置が含まれるか否かが判定される。
次に、分割領域ＤＡＲ１３は、
【数２】
0005959303.tif 000003
により、現在位置が含まれるか否かが判定される。
次に、分割領域ＤＡＲ１５は、
【数３】
0005959303.tif 000004
により、現在位置が含まれるか否かが判定される。
次に、分割領域ＤＡＲ１７は、
【数４】
0005959303.tif 000005
により、現在位置が含まれるか否かが判定される。
【００４４】
また、四角形で表される分割領域については、以下のようにして、現在位置が含まれるか否かが判定される。
まず、分割領域ＤＡＲ１２について説明する。
分割領域ＤＡＲ１２を構成する４つの接点の座標は、各々、接点Ａ１０（ｘＡ１０，ｙＡ１０）、接点Ａ１１（ｘＡ１１，ｙＡ１１）、接点Ｂ１０（ｘＢ１０，ｙＢ１０）、接点Ｂ１１（ｘＢ１１，ｙＢ１１）であるものとする。
線分Ａ１０−Ａ１１を含む直線は、一次関数
【数５】
0005959303.tif 000006
で表すことができる。
また、線分Ａ１０−Ｂ１０を含む直線は、一次関数
【数６】
0005959303.tif 000007
で表すことができる。
また、線分Ｂ１０−Ｂ１１を含む直線は、一次関数
【数７】
0005959303.tif 000008
で表すことができる。
また、線分Ａ１１−Ｂ１１を含む直線は、一次関数
【数８】
0005959303.tif 000009
で表すことができる。
従って、分割領域ＤＡＲ１２は、以下の（９）〜（１１）式で示される不等式を全て満たす領域になる。
【数９】
0005959303.tif 000010
【数１０】
0005959303.tif 000011
【数１１】
0005959303.tif 000012
【数１２】
0005959303.tif 000013
なお、（９）式〜（１２）式の不等号は、その直線に含まれない他の２つの接点の配置により特定すればよい。例えば、（９）式では、右辺で示される直線には含まれない他の２つの接点Ｂ１０、Ｂ１１がともに、この直線の下側にあるため、左辺が右辺以下の領域に分割領域ＤＡＲ１２が含まれる。他の式についても、同様にして不等号を特定すればよい。
【００４５】
同様に分割領域ＤＡＲ１４は、４つの接点の座標を各々、接点Ｃ１１（ｘＣ１１，ｙＣ１１）、接点Ｄ１１（ｘＤ１１，ｙＤ１１）、接点Ｃ１（ｍ−１）（ｘＣ１（ｍ−１），ｙＣ１（ｍ−１））、接点Ｄ１（ｍ−１）（ｘＤ１（ｍ−１），ｙＤ１（ｍ−１））とすると、以下の（１３）式〜（１６）式の不等式を全て満たす領域になる。
【数１３】
0005959303.tif 000014
【数１４】
0005959303.tif 000015
【数１５】
0005959303.tif 000016
【数１６】
0005959303.tif 000017
【００４６】
同様に分割領域１６は、４つの接点の座標を各々、接点Ａ１ｍ（ｘＡ１ｍ，ｙＡ１ｍ）、接点Ａ１（ｍ−１）（ｘＡ１（ｍ−１），ｙＡ１（ｍ−１））、接点Ｂ１ｍ（ｘＢ１ｍ，ｙＢ１ｍ）、接点Ｂ１（ｍ−１）（ｘＢ１（ｍ−１），ｙＢ１（ｍ−１））とすると、以下の（１７）式〜（２０）式の不等式を全て満たす領域になる。
【数１７】
0005959303.tif 000018
【数１８】
0005959303.tif 000019
【数１９】
0005959303.tif 000020
【数２０】
0005959303.tif 000021
【００４７】
図６のステップＳ２２において、エリア判定部１３４は、現在位置がステップＳ２１で抽出された分割領域に含まれると判断した場合（Ｓ２２：Ｙｅｓ）には、ステップＳ２３に処理を進め、現在位置がステップＳ２１で抽出された分割領域に含まれない判断した場合（Ｓ２２：Ｎｏ）には、ステップＳ２４に処理を進める。
【００４８】
ステップＳ２３では、エリア判定部１３４は、現在位置が受信可能エリアに含まれていると判断し、フローを終了する。
【００４９】
一方、ステップＳ２４では、エリア判定部１３４は、全ての分割領域を判定したか否かを確認する。そして、エリア判定部１３４は、全ての分割領域を判定した場合（Ｓ２４：Ｙｅｓ）には、ステップＳ２５に処理を進める。一方、エリア判定部１３４は、全ての分割領域については判定していない場合、言い換えると、判定を行っていない分割領域が存在する場合（Ｓ２４：Ｎｏ）には、ステップＳ２１に処理を進める。
【００５０】
ステップＳ２５では、エリア判定部１３４は、現在位置が受信可能エリアに含まれていないと判断し、フローを終了する。
【００５１】
図８は、実施の形態１に係るデジタル放送受信装置１００による放送エリアマップ情報未生成エリア判定処理を示すフローチャートである。
【００５２】
まず、エリア判定部１３４は、エリアマップ格納部１３３に記憶されている生成済みエリア情報１４２を参照して、現在位置検出部１３１から通知された現在位置が、生成済みエリアに含まれているか検索する（Ｓ３０）。例えば、エリア判定部１３４は、生成済みエリア情報１４２の各レコードに対応付けられている一次関数の傾き、切片及び他の頂点が存在する方向を示す不等号により、辺毎に一次不等式を算出する。そして、エリア判定部１３４は、現在位置の座標が、算出された辺毎の一次不等式の全てを満たすか否かにより、現在位置が生成済みエリアに含まれるか否かを判断する。
【００５３】
そして、エリア判定部１３４は、現在位置が生成済みエリアに含まれていると判断した場合（Ｓ３１：Ｙｅｓ）には、ステップＳ３２に処理を進め、現在位置が生成済みエリアに含まれていないと判断した場合（Ｓ３１：Ｎｏ）には、ステップＳ３３に処理を進める。
【００５４】
ステップＳ３２では、エリア判定部１３４は、チャンネルスキャン制御部１２４に生成済みエリア内であることを通知する。このような通知を受けたチャンネルスキャン制御部１２４は、例えば、チャンネルスキャンを停止し、シングルチューナモードの動作を開始する。シングルチューナモードでは、番組の映像表示及び音声出力は、受信安定性に優れたダイバーシティ処理を施した放送信号に基づいて行われる。
【００５５】
ステップＳ３３では、エリア判定部１３４は、チャンネルスキャン制御部１２４に生成済みエリア外であることを通知する。このような通知を受けたチャンネルスキャン制御部１２４は、ダブルチューナモードで動作するよう受信モード切替部１２３に通知し、第１受信部１１１による視聴のための動作と並行して、第２受信部１２１によるチャンネルスキャンを開始する。
【００５６】
エリア判定部１３４が、現在位置が生成済みエリア内であると判定した場合には、デジタル放送受信装置１００は、基本的には、シングルチューナモードで動作するが、異なる動作を実行させることもできる。チャンネルスキャン制御部１２４は、第１デマルチプレクス部１１２から番組視聴中にセクションデータ（例えば、ＰＳＩ／ＳＩ情報等）を取得し、セクションデータからネットワーク構成情報又は放送サービス構成情報を取得する。これらの情報から、ネットワーク構成又は放送サービス構成の変化を検出した場合には、他の物理チャンネルにも放送サービス構成が変化した可能性があるので、チャンネルスキャン制御部１２４は、放送エリアマップ情報１４１を最新の情報で更新するために、受信モード切替部１２３にダブルチューナモードで動作するよう通知を行う。そして、放送信号の視聴のための動作を行う第１受信部１１１とは別系統である第２受信部１２１によって、チャンネルスキャンを開始し、このチャンネルスキャンの結果に基づいて、エリアマップ格納部１３３に格納される放送エリアマップ情報１４１を更新する。なお、ネットワーク構成又は放送サービス構成の変化が検出される場合としては、例えば、放送サービスの消失又は送信物理チャンネルの変更があった場合、ネットワーク識別値又は放送サービス識別値の変更があった場合、ネットワーク名、ＴＳ名、アンサンブル名又は放送サービス名が変化した場合等がある。
【００５７】
さらに、エリア判定部１３４が、現在位置が生成済みエリア内であると判定した場合でも、チャンネルスキャン制御部１２４は、所定時間経過後、受信モード切替部１２３にダブルチューナモードで動作するよう通知を行い、チャンネルスキャンを開始してもよい。このような動作を行うことにより、番組視聴用の受信を行っている第１受信部１１１とは別系統である第２受信部１２１によって、定期的にチャンネルスキャンが行われ、放送エリアマップ情報１４１に更新が無いか監視することができる。放送ネットワーク又は放送サービス構成は、基本的には、頻繁に変化するものではないため、チャンネルスキャン制御部１２４は、この定期的な監視を頻繁に行う必要は無く、数日に１回程度の比較的長い周期で行えばよい。
【００５８】
図９は、実施の形態１に係るデジタル放送受信装置１００によるチャンネルスキャン時の動作を示すフローチャートである。図９のフローは、チャンネルスキャン制御部１２４がチャンネルスキャンを開始する条件になったと判断した場合に開始される。
【００５９】
まず、チャンネルスキャン制御部１２４は、ダブルチューナモードへの変更指示を受信モード切替部１２３に通知する（Ｓ４０）。このような通知を受けた受信モード切替部１２３は、デジタル放送受信装置１００の動作モードをダブルチューナモードにする。
【００６０】
次に、チャンネルスキャン制御部１２４は、所定の期間を空けて、確実チャンネルスキャンを２回実行する（Ｓ４１、Ｓ４２）。この確実チャンネルスキャンは、全物理チャンネルに対してスキャンを行うことを意味する。確実チャンネルスキャンによれば、信頼性の高いチャンネルスキャンの結果を得ることができるが、チャンネルスキャン時間が長くなる。なお、確実チャンネルスキャンの詳細は、図１０を用いて説明する。
【００６１】
次に、チャンネルスキャン制御部１２４は、ステップＳ４１の１回目の確実チャンネルスキャンと、ステップＳ４２の２回目の確実チャンネルスキャンとで、以下の（１）及び（２）の少なくとも何れかの条件を満たす物理チャンネルを、次回スキャン候補物理チャンネルとして抽出する（Ｓ４３）。
（１）１回目と２回目のチャンネルスキャンで所定の基準レベル以上に受信状態が変化した物理チャンネル。
（２）受信不可レベル近傍の物理チャンネル（具体的には、受信不可能と判定する所定の閾値電力レベルを中心に、電力レベルがプラス方向、マイナス方向の一定範囲内である物理チャンネル）。
【００６２】
そして、チャンネルスキャン制御部１２４は、次回スキャン候補物理チャンネルとされた物理チャンネルだけに対して、高速チャンネルスキャンを実行する（Ｓ４４）。高速チャンネルスキャンは、全物理チャンネルの内の一部の物理チャンネルだけをスキャンすることを意味する。高速チャンネルスキャンによれば、チャンネルスキャン時間が短くなるが、チャンネルスキャンの結果の信頼性は低くなる。
【００６３】
次に、チャンネルスキャン制御部１２４は、ステップＳ４４で次回スキャン候補とされた物理チャンネルがあるか否かを判断する（Ｓ４５）。そして、チャンネルスキャン制御部１２４は、ステップＳ４４で次回スキャン候補とされた物理チャンネルがあると判断した場合（Ｓ４５：Ｙｅｓ）には、ステップＳ４４に処理を進め、ステップＳ４４で次回スキャン候補とされた物理チャンネルだけを対象として高速チャンネルスキャンを実行する。一方、チャンネルスキャン制御部１２４は、ステップＳ４４で次回スキャン候補とされた物理チャンネルがないと判断した場合（Ｓ４５：Ｎｏ）には、ステップＳ４６に処理を進める。
【００６４】
ステップＳ４６では、チャンネルスキャン制御部１２４は、一時記憶部１２４ａに記憶されている情報をエリアマップ生成部１３２に与え、エリアマップ生成部１３２は、与えられた情報に基づいて、放送エリアマップ情報１４１を更新する。また、エリアマップ生成部１３２は、与えられた情報から放送サービス情報を生成して、エリアマップ格納部１３３に記憶させる。放送サービス情報は、物理チャンネルにおける放送内容を示すものである。
【００６５】
そして、チャンネルスキャン制御部１２４は、受信モード切替部１２３にシングルチューナモードで動作するよう通知する（Ｓ４７）。このような通知を受けた受信モード切替部１２３は、デジタル放送受信装置１００の動作モードをシングルチューナモードにして、フローを終了する。
【００６６】
図１０は、図９に示されている確実チャンネルスキャン時の動作（サブルーチン）を示すフローチャートである。
【００６７】
まず、チャンネルスキャン制御部１２４は、全物理チャンネルの中から１つを選択し（Ｓ５０）、第２受信部１２１に、選択された物理チャンネルのチューニングを実行させる（Ｓ５１）。
【００６８】
そして、チャンネルスキャン制御部１２４は、チューニングされた物理チャンネルに放送信号が存在するかを、例えば、受信信号の電力レベルから判断する（Ｓ５２）。チャンネルスキャン制御部１２４は、チューニングされた物理チャンネルに放送信号が存在すると判断した場合（Ｓ５２：Ｙｅｓ）には、ステップＳ５３に処理を進め、チューニングされた物理チャンネルに放送信号が存在しないと判断した場合（Ｓ５２：Ｎｏ）には、ステップＳ５７に処理を進める。
【００６９】
ステップＳ５３では、チャンネルスキャン制御部１２４は、フレームロック判定を行う。チャンネルスキャン制御部１２４は、フレームロック判定において、例えば、ＩＳＤＢ−Ｔの場合、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ）信号の中のＣＲＣ（巡回冗長検査）エラーチェック及び周期的な同期ワードのチェックを行うことで、受信すべき所望のデジタル放送波であるかどうかを判定する。チャンネルスキャン制御部１２４は、フレームロックした場合（Ｓ５３：Ｙｅｓ）には、ステップＳ５４に処理を進め、フレームロックしなかった場合（Ｓ５３：Ｎｏ）には、ステップＳ５７に処理を進める。
【００７０】
ステップＳ５４では、チャンネルスキャン制御部１２４は、ＰＳＩ／ＳＩセクションフィルタリング処理を開始する。そして、チャンネルスキャン制御部１２４は、所定の時間内に、ＰＳＩ／ＳＩ情報を取得できたか否かを判断する（Ｓ５５）。チャンネルスキャン制御部１２４は、所定の時間内にＰＳＩ／ＳＩ情報を取得できた場合（Ｓ５５：Ｙｅｓ）には、ステップＳ５６に処理を進め、所定の時間内にＰＳＩ／ＳＩ情報を取得できなかった場合（Ｓ５５：Ｎｏ）には、ステップＳ５７に処理を進める。
【００７１】
ステップＳ５６では、チャンネルスキャン制御部１２４は、ＰＳＩ／ＳＩ情報が受信できた場合、受信したＰＳＩ／ＳＩ情報から必要な情報を取り出し、物理チャンネル、受信信号の電力レベル及び現在位置を受信情報として、取り出した情報とともに一時記憶部１２４ａに保存する。
【００７２】
そして、チャンネルスキャン制御部１２４は、全物理チャンネルのスキャンが完了したかを判断する（Ｓ５７）。チャンネルスキャン制御部１２４は、全物理チャンネルのスキャンが完了した場合には、確実チャンネルスキャンのサブルーチンを抜け、図９のステップＳ４２又はＳ４３に処理を進める。一方、チャンネルスキャン制御部１２４は、全物理チャンネルのスキャンは完了していない場合、言い換えると、スキャンを行っていない物理チャンネルが存在する場合（Ｓ５７：Ｎｏ）には、ステップＳ５０に処理を進める。
【００７３】
図１１は、図９に示されている高速チャンネルスキャン時の動作（サブルーチン）を示すフローチャートである。なお、図１１のフローチャートでは、図１１のフローチャートの開始時に、既に次回スキャン候補とされている物理チャンネルを次回スキャン候補物理チャンネル＃１とし、図１１のフローチャートにおいて、次回スキャン候補とされた物理チャンネルを次回スキャン候補物理チャンネル＃２とする。
高速チャンネルスキャン時には、チャンネルスキャン制御部１２４は、次回スキャン候補物理チャンネル＃１とされた物理チャンネルの中から１つを選択し（Ｓ６０）、第２受信部１２１に選択された物理チャンネルのチューニングを実行させる（Ｓ６１）。
【００７４】
そして、チャンネルスキャン制御部１２４は、チューニングされた物理チャンネルに放送信号が存在するかを、例えば、受信信号の電力レベルで判断する（Ｓ６２）。チャンネルスキャン制御部１２４は、チューニングされた物理チャンネルに放送信号が存在する場合（Ｓ６２：Ｙｅｓ）には、ステップＳ６３に処理を進め、チューニングされた物理チャンネルに放送信号が存在しない場合（Ｓ６２：Ｎｏ）には、ステップＳ６９に処理を進める。
【００７５】
ステップＳ６３では、チャンネルスキャン制御部１２４は、一時記憶部１２４ａを参照して、前回の同一物理チャンネルのスキャン時に、同一物理チャンネルに放送サービスが存在していたか判断する。そして、チャンネルスキャン制御部１２４は、同一物理チャンネルに放送サービスが存在していた場合（Ｓ６３：Ｙｅｓ）には、受信状態に変化がないと判断し、ステップＳ７１に処理を進める。一方、チャンネルスキャン制御部１２４は、同一物理チャンネルに放送サービスが存在していない場合（Ｓ６３：Ｎｏ）には、新たに放送信号が検出できたことになるので、ステップＳ６４に処理を進める。
【００７６】
ステップＳ６４では、チャンネルスキャン制御部１２４は、フレームロック判定を行う。チャンネルスキャン制御部１２４は、フレームロックしなかった場合（Ｓ６４：Ｎｏ）には、ステップＳ７１に処理を進め、フレームロックした場合（Ｓ６４：Ｙｅｓ）には、ステップＳ６５に処理を進める。
【００７７】
ステップＳ６５では、チャンネルスキャン制御部１２４は、ＰＳＩ／ＳＩセクションフィルタリング処理を開始する。そして、チャンネルスキャン制御部１２４は、所定の時間内にＰＳＩ／ＳＩ情報を取得できなかった場合（Ｓ６６：Ｎｏ）には、ステップＳ７１に処理を進め、所定の時間内にＰＳＩ／ＳＩ情報を取得できた場合（Ｓ６６：Ｙｅｓ）には、ステップＳ６７に処理を進める。
【００７８】
ステップＳ６７では、チャンネルスキャン制御部１２４は、受信したＰＳＩ／ＳＩ情報から必要な情報を取り出し、物理チャンネル、受信信号の電力レベル、現在位置を受信情報として、取り出した情報とともに、一時記憶部１２４ａに保存する。この場合、前回のチャンネルスキャンでは放送サービスが存在しなかったが、今回のチャンネルスキャンで新たに検出できたことになるので、チャンネルスキャン制御部１２４は、ステップＳ６０で選択された物理チャンネルを受信不安定チャンネルと判断し、この物理チャンネルを次回スキャン候補物理チャンネル＃２として抽出する（Ｓ６８）。
【００７９】
ステップＳ６９では、チャンネルスキャン制御部１２４は、一時記憶部１２４ａを参照して、前回の同一物理チャンネルのスキャン時に、同一物理チャンネルに放送サービスが存在していたか判断する。そして、チャンネルスキャン制御部１２４は、同一物理チャンネルに放送サービスが存在していないと判断した場合（Ｓ６９：Ｎｏ）には、ステップＳ７１に処理を進め、同一物理チャンネルに放送サービスが存在していると判断した場合（Ｓ６９：Ｙｅｓ）には、ステップＳ７０に処理を進める。
【００８０】
ステップＳ７０では、チャンネルスキャン制御部１２４は、ステップＳ６０で選択された物理チャンネルに放送信号が含まれていないことになるので、一時記憶部１２４ａに記憶された、ステップＳ６０で選択された物理チャンネルに対応する情報を削除する。そして、チャンネルスキャン制御部１２４は、ステップＳ６０で選択された物理チャンネルが、前回のチャンネルスキャンでは放送信号が検出され、今回のチャンネルスキャンでは放送信号が検出されない不安定な物理チャンネルと判断し、この物理チャンネルを次回スキャン候補物理チャンネル＃２として抽出する（Ｓ６８）。
【００８１】
ステップＳ７１では、次回スキャン候補物理チャンネル＃１として抽出された全物理チャンネルのスキャンが完了したか否かを判断する。そして、チャンネルスキャン制御部１２４は、次回スキャン候補物理チャンネル＃１として抽出された全物理チャンネルのスキャンが完了した場合（Ｓ７１：Ｙｅｓ）には、図９のステップＳ４５に処理を進める。一方、チャンネルスキャン制御部１２４は、次回スキャン候補物理チャンネル＃１として抽出された全物理チャンネルのスキャンは完了していない場合（Ｓ７１：Ｎｏ）、言い換えると、次回スキャン候補物理チャンネル＃１として抽出された物理チャンネルの内、スキャン対象とはされていない物理チャンネルが存在する場合には、ステップＳ６０に処理を進める。
【００８２】
図１２は、生成済みエリア情報１４２の拡張処理を示すフローチャートである。
まず、エリアマップ生成部１３２は、生成済みエリア情報１４２の生成済みエリアの頂点座標欄１４２ｃに格納されている座標を頂点とする多角形により示される生成済みエリアの各辺を定義する一次関数と、各辺には含まれていない他の頂点が配置されている方向を示す不等号とにより求められる一次不等式に、現在位置の座標を代入する（Ｓ８０）。
【００８３】
次に、エリアマップ生成部１３２は、代入した結果、一次不等式を全辺において満たしているか否かを判断する（Ｓ８１）。そして、エリアマップ生成部１３２は、一次不等式が全辺において満たされている場合（Ｓ８１：Ｙｅｓ）には、ステップＳ８２に処理を進め、一次不等式が全辺においては満たされていない場合（Ｓ８１：Ｎｏ）、言い換えると、一次不等式を満たしていない辺が存在する場合には、ステップＳ８３に処理を進める。
【００８４】
ステップＳ８２では、エリアマップ生成部１３２は、現在位置が生成済みエリア内であると判断して、現在位置を生成済みエリア情報１４２に追加する処理を行わずに、フローを終了する。
【００８５】
一方、ステップＳ８３では、エリアマップ生成部１３２は、現在位置を生成済みエリア外の新規の頂点であると判断する。例えば、図１３に示されているように、生成済みエリアＡＲ２が、頂点Ｐ１、Ｐ２、Ｐ３、Ｐ４及びＰ５で示されている場合、現在位置ＮＰは、頂点Ｐ１及びＰ２を通る一次関数から求められる一次不等式を満たさないため、エリアマップ生成部１３２は、このような現在位置ＮＰを新規の頂点とする。
【００８６】
次に、エリアマップ生成部１３２は、この新規の頂点と既存の生成済みエリアＡＲ２の各頂点とを結ぶ線分の一次関数を求める（Ｓ８４）。例えば、図１３では、新規の頂点ＮＰ及び頂点Ｐ１とを結ぶ線分ＳＤ１の一次関数、新規の頂点ＮＰ及び頂点Ｐ２とを結ぶ線分ＳＤ２の一次関数、新規の頂点ＮＰ及び頂点Ｐ３とを結ぶ線分ＳＤ３の一次関数、新規の頂点ＮＰ及び頂点Ｐ４とを結ぶ線分ＳＤ４の一次関数、並びに、新規の頂点ＮＰ及び頂点Ｐ５とを結ぶ線分ＳＤ５の一次関数が、求められる。
【００８７】
そして、エリアマップ生成部１３２は、ステップＳ８４で求められた一次関数により示される直線と、生成済みエリアを構成する他の頂点との位置関係を判断し、他の頂点の全てが一次関数により示される直線の同じ側（例えば、Ｙ軸の正方向又は負方向）に存在する一次関数を検索する。例えば、図１３では、線分ＳＤ１の一次関数は、他の頂点Ｐ２、Ｐ３、Ｐ４及びＰ５の全てが同じ側に存在する。また、線分ＳＤ２の一次関数は、他の頂点Ｐ３、Ｐ４、Ｐ５及びＰ１の全てが同じ側に存在する。一方、線分ＳＤ３の一次関数は、頂点Ｐ２が図１３の左側に存在し、頂点Ｐ４、Ｐ５及びＰ１が図１３の右側に存在する。また、線分ＳＤ４の一次関数は、頂点Ｐ２及びＰ３が図１３の左側に存在し、頂点Ｐ５及びＰ１が図１３の右側に存在する。さらに、線分ＳＤ５の一次関数は、頂点Ｐ２、Ｐ３及びＰ４が図１３の左側に存在し、頂点Ｐ１が図１３の右側に存在する。従って、エリアマップ生成部１３２は、線分ＳＤ１及びＳＤ２の一次関数を特定する。そして、エリアマップ生成部１３２は、新規の頂点ＮＰの座標を生成済みエリア情報１４２の生成済みエリアの頂点座標欄１４２ｃに追加すると共に、新規の頂点ＮＰを追加したレコードに対応付けて、線分ＳＤ１及びＳＤ２の一次関数の傾き及び切片と、他の頂点が存在する側を示す不等号を、エリアマップ格納部１３３に記憶させる。このようにして、エリアマップ生成部１３２は、図１３に示すように、既存の生成済みエリアＡＲ２に、頂点Ｐ１、ＮＰ及びＰ２により構成されるエリアＡＲ３を追加する。この際、頂点Ｐ１及びＰ２により構成される線分は、生成済みエリアを構成する辺ではなくなるため、エリアマップ生成部１３２は、その線分の一次関数に関連する情報をエリアマップ格納部１３３から削除する。
【００８８】
実施の形態１に係るデジタル放送受信装置１００によれば、受信可能エリアが経度及び緯度をそれぞれ座標軸とする座標系で、隣接する円とその共通外接線によって囲まれるエリアとして表現しているため、円の中心座標とその半径を記録するだけで済む。このため、デジタル放送受信装置１００は、経度及び緯度で表現される座標平面をメッシュに区分けしてデータを記録する場合に比べて、必要なメモリサイズを小さくすることができる。
【００８９】
さらにまた、実施の形態１に係るデジタル放送受信装置１００によれば、受信可能エリアを経度及び緯度をそれぞれ座標軸とする座標系で、多角形エリアとして表現する場合に比べて、実際の道路領域と受信機が想定する受信可能エリアとの誤差を小さくできるため、受信可能エリアとみなす領域の精度を上げることができる。
例えば、図１４に示されているように、デジタル放送受信装置１００が、湾曲した道路１５０を左から右に向かって移動し、地点Ａ、地点Ｂ、地点Ｃの３個所で受信可能と判断した場合、従来技術のように受信可能箇所により形成される多角形で、受信可能エリアを表現する場合には、受信可能エリアは三角形ＡＢＣになるが、これは実際の道路１５０とは一致しない。これに対して、実施の形態１に係るデジタル放送受信装置１００では、道路１５０に沿って受信可能エリアを形成することができる。
【００９０】
以上に説明したように、実施の形態１に係るデジタル放送受信装置１００によれば、放送エリアマップ情報１４１の未生成エリア内を移動しているときに、チャンネルスキャンが実行されるため、ダイバーシティ処理による安定性の高い受信信号として番組視聴を行う期間が長くなり、受信性能向上による高画質高音質化を図ることができる。
【００９１】
また、実施の形態１に係るデジタル放送受信装置１００によれば、放送エリアマップ情報１４１の生成済みエリア内を移動している場合でも、ネットワーク構成又は放送サービス構成の変化を視聴中の物理チャンネルから検出したとき、及び、数日程度毎に行う比較的長周期の定期的なときに、チャンネルスキャンを実行することができるため、放送エリアマップ情報１４１を最新の情報に更新することができる。
【００９２】
さらに、実施の形態１に係るデジタル放送受信装置１００によれば、チャンネルスキャンにより各放送サービスの放送エリアマップ情報１４１を自動生成するので、放送エリアマップ情報１４１が作成されたエリアを移動時には、その地点で受信可能な放送サービスリストをユーザによるチャンネルスキャン操作無しでユーザに提示することができる。このため、デジタル放送受信装置１００を移動体に搭載したときの利便性を高めることができる。
【００９３】
また、実施の形態１に係るデジタル放送受信装置１００では、チャンネルスキャンにより各放送サービスの放送エリアマップ情報１４１を自動生成し、これに中継局及び系列局の物理チャンネル、並びに、放送サービス名が格納されている。このため、放送エリアマップ情報１４１が作成されたエリアの移動時において、視聴中の放送サービスのエリア外に移動しつつある場合、及び、受信状態が不安定になってきた場合には、デジタル放送受信装置１００は、同一の番組を放送している可能性の高い中継局、系列局、同一放送サービス名の放送サービスを放送している物理チャンネルに自動的に切替えを行うことができる。このためユーザは、番組視聴を途切れなく継続することができる。
【００９４】
さらに、実施の形態１に係るデジタル放送受信装置１００は、チャンネルスキャン制御部１２４の動作において、前回と今回のチャンネルスキャンの結果をそれぞれ比較し、所定の基準レベル以上に受信状態が変化した物理チャンネルと、閾値受信強度近傍の物理チャンネルとに対してのみ再度チャンネルスキャンを行うようにしている。これは、受信可能エリア境界付近の、受信状況が不安定な物理チャンネルについて、受信状況のサンプリング周期を短縮していることになるので、チャンネルスキャンが比較的短時間で行われ、受信可能エリア境界付近におけるチャンネルスキャンの結果の精度を上げることができる。
【００９５】
さらにまた、実施の形態１に係るデジタル放送受信装置１００は、再度のチャンネルスキャンにおいて前回のチャンネルスキャンで放送サービスが存在し、且つ、今回のチャンネルスキャンにおいても受信信号の電力レベルから放送信号が存在していると判断した場合に、フレームロック判定及びＰＳＩ／ＳＩ情報の取得判定を行わずに、前回のチャンネルスキャン時と同一の放送サービスが存在すると判定している。言い換えると、デジタル放送受信装置１００は、フレームロックの確認及びＰＳＩ／ＳＩ情報取得の判定を省略して、信号存在チェックに要する時間だけで済む。通常、信号存在チェックは、数百ミリ秒で済む一方、フレームロック判別時間は１秒前後、及び、ＰＳＩ／ＳＩ情報取得判定は数秒をそれぞれ要するため、デジタル放送受信装置１００は、フレームロック判定、ＰＳＩ／ＳＩ取得判定を省くことでチャンネルスキャンの大幅な高速化を図ることができる。このため、デジタル放送受信装置１００は、チャンネルスキャンを短時間で済ますことができ、全アンテナからの信号を番組視聴のために使用できる機会が増えるので、受信安定性が高く、より高音質高画質の受信が可能となる。
【００９６】
また、実施の形態１に係るデジタル放送受信装置１００は、再度のチャンネルスキャンでは、前回のチャンネルスキャンで放送サービスが存在せず、且つ、今回のチャンネルスキャンでも受信信号の電力レベルから放送信号が存在しないと判断した場合に、放送サービスが存在しないと判定するようにしたので、チャンネルスキャンの高速化が図れる。このため、デジタル放送受信装置１００は、チャンネルスキャンを短時間で済ますことができ、全アンテナからの信号を視聴のために使用できるので、受信安定性が高く高音質及び高画質の受信が可能となる。
【００９７】
さらに、実施の形態１に係るデジタル放送受信装置１００は、再度のチャンネルスキャンでは、前回のチャンネルスキャンで放送サービスが存在せず、今回のチャンネルスキャンで受信信号の電力レベルから放送信号が存在していると判断し、フレームロックを行うことができ、かつ、ＰＳＩ／ＳＩ情報の取得ができた場合でも、その物理チャンネルを不安定チャンネルとして次回のチャンネルスキャンの候補としたので、不安定チャンネルのエリア境界付近におけるチャンネルスキャンの精度を上げることができる。
【００９８】
さらにまた、実施の形態１に係るデジタル放送受信装置１００は、再度のチャンネルスキャンでは、前回のチャンネルスキャンで放送サービスが存在し、且つ、今回のチャンネルスキャンで受信信号の電力レベルから放送信号が存在していないと判断した場合に、その物理チャンネルを不安定チャンネルとして次回のチャンネルスキャンの候補としたので、不安定チャンネルのエリア境界付近におけるチャンネルスキャンの精度を上げることができる。
【００９９】
実施の形態２．
図１に示すように、実施の形態２に係るデジタル放送受信装置２００は、第１アンテナ１１０と、第１受信部１１１と、第１デマルチプレクス部１１２と、デコード部１１３と、グラフィクス重畳部１１４と、映像出力部１１５と、音声出力部１１６と、操作入力部１１７と、選局制御部１１８とを備える。また、デジタル放送受信装置２００は、第２アンテナ１２０と、第２受信部１２１と、第２デマルチプレクス部１２２と、受信モード切替部１２３と、チャンネルスキャン制御部１２４と、第３アンテナ１３０と、現在位置検出部１３１と、エリアマップ生成部２３２と、エリアマップ格納部２３３と、エリア判定部２３４と、リスト生成部１３５とを備える。実施の形態２に係るデジタル放送受信装置２００は、エリアマップ生成部２３２及びエリア判定部２３４での処理の点、並びに、エリアマップ格納部２３３に記憶されている情報の点において、実施の形態１に係るデジタル放送受信装置１００と異なっている。
【０１００】
エリアマップ生成部２３２は、第２デマルチプレクス部１２２から受け取ったセクションデータと、現在位置検出部１３１から通知された現在位置とに基づいて、放送エリアマップ情報１４１を生成し、エリアマップ格納部１３３に格納する。実施の形態２においては、実施の形態１と異なり、エリアマップ生成部２３２は、生成済みエリア情報１４２を作成しない。
【０１０１】
エリアマップ格納部２３３は、放送エリアマップ情報１４１を記憶する。実施の形態２においては、実施の形態１と異なり、生成済みエリア情報１４２を記憶しない。
【０１０２】
エリア判定部２３４は、エリアマップ格納部１３３に記憶されている放送エリアマップ情報１４１を参照して、現在位置検出部１３１から通知された現在位置に対応する放送エリアマップ情報１４１が生成済みであるか否かを判断する。例えば、エリア判定部１３４は、現在位置検出部１３１から通知された現在位置が、エリアマップ格納部１３３に記憶されている放送エリアマップ情報１４１で示される受信可能エリアに含まれる場合には、放送エリアマップ情報１４１が生成済みであると判断する。
【０１０３】
図１５は、実施の形態２に係るデジタル放送受信装置２００による放送エリアマップ情報未生成エリア判定処理を示すフローチャートである。
【０１０４】
まず、エリア判定部２３４は、エリアマップ格納部２３３に記憶されている放送エリアマップ情報１４１を参照して、現在位置検出部１３１から通知された現在位置が、受信可能エリアに含まれているか検索する（Ｓ９０）。ここでは、エリア判定部２３４は、図６に示されているフローと同様のフローにより、現在位置が受信可能エリアに含まれるか否かを判断することができる。
【０１０５】
そして、エリア判定部２３４は、現在位置が受信可能エリアに含まれていると判断した場合（Ｓ９１：Ｙｅｓ）には、ステップＳ９２に処理を進め、現在位置が受信可能エリアに含まれていないと判断した場合（Ｓ９１：Ｎｏ）には、ステップＳ９３に処理を進める。
【０１０６】
ステップＳ９２では、エリア判定部２３４は、チャンネルスキャン制御部１２４に生成済みエリア内であることを通知する。このような通知を受けたチャンネルスキャン制御部１２４は、例えば、チャンネルスキャンを停止し、シングルチューナモードの動作を開始する。シングルチューナモードでは、番組の映像表示及び音声出力は、受信安定性に優れたダイバーシティ処理を施した放送信号に基づいて行われる。
【０１０７】
ステップＳ９３では、エリア判定部２３４は、チャンネルスキャン制御部１２４に生成済みエリア外であることを通知する。このような通知を受けたチャンネルスキャン制御部１２４は、ダブルチューナモードで動作するよう受信モード切替部１２３に通知し、第１受信部１１１による視聴のための動作と並行して、第２受信部１２１によるチャンネルスキャンを開始する。
【０１０８】
上述と同様、エリア判定部２３４が、現在位置が受信可能エリア内であると判定した場合には、デジタル放送受信装置２００は、基本的には、シングルチューナモードで動作するが、異なる動作を実行させることもできる。
【０１０９】
さらに、エリア判定部２３４が、現在位置が受信可能エリア内であると判定した場合でも、チャンネルスキャン制御部１２４は、所定時間経過後、受信モード切替部１２３にダブルチューナモードで動作するよう通知を行い、チャンネルスキャンを開始してもよい。このような動作を行うことにより、番組視聴用の受信を行っている第１受信部１１１とは別系統である第２受信部１２１によって、定期的にチャンネルスキャンが行われ、放送エリアマップ情報１４１に更新が無いか監視することができる。放送ネットワーク又は放送サービス構成は、基本的には、頻繁に変化するものではないため、チャンネルスキャン制御部１２４は、この定期的な監視を頻繁に行う必要は無く、数日に１回程度の比較的長い周期で行われればよい。
【０１１０】
実施の形態２によれば、デジタル放送受信装置２００は、生成済みエリア情報１４２を生成する必要がなくなり、エリアマップ格納部２３３の記憶容量を抑えることができる。また、実施の形態２によれば、受信可能エリアが生成済みエリアとなるため、生成済みエリアを正確に特定することができる。
【０１１１】
図１６は、実施の形態１又は２の変形例に係るデジタル放送受信装置３００の構成を概略的に示すブロック図である。この変形例に係るデジタル放送受信装置３００は、第３アンテナ１３０及び現在位置検出部１３１の代わりに、ＧＰＳ内蔵装置３３６から現在位置入力部３３７が現在位置の入力を受け付ける点において、図１に示されているデジタル放送受信装置１００、２００と異なっている。ＧＰＳ内蔵装置３３６には、例えば、カーナビゲーション装置、ＧＰＳを備えた携帯電話及びタブレット端末、並びに、ＧＰＳ機能だけを備えるＧＰＳ機器が含まれる。
【符号の説明】
【０１１２】
１００，２００，３００：デジタル放送受信装置、  １１０：第１アンテナ、  １１１：第１受信部、  １１２：第１デマルチプレクス部、  １１３：デコード部、  １１４：グラフィクス重畳部、  １１５：映像出力部、  １１６：音声出力部、  １１７：操作入力部、  １１８：選局制御部、  １２０：第２アンテナ、  １２１：第２受信部、  １２２：第２デマルチプレクス部、  １２３：受信モード切替部、  １２４：チャンネルスキャン制御部、  １３０：第３アンテナ、  １３１：現在位置検出部、  １３２，２３２：エリアマップ生成部、  １３３，２３３：エリアマップ格納部、  １３４，２３４：エリア判定部、  １３５：リスト生成部、  ３３６：ＧＰＳ内蔵装置、  ３３７：現在位置入力部。
【図１】
0005959303.tif 000022
【図２】
0005959303.tif 000023
【図３】
0005959303.tif 000024
【図４】
0005959303.tif 000025
【図５】
0005959303.tif 000026
【図６】
0005959303.tif 000027
【図７】
0005959303.tif 000028
【図８】
0005959303.tif 000029
【図９】
0005959303.tif 000030
【図１０】
0005959303.tif 000031
【図１１】
0005959303.tif 000032
【図１２】
0005959303.tif 000033
【図１３】
0005959303.tif 000034
【図１４】
0005959303.tif 000035
【図１５】
0005959303.tif 000036
【図１６】
0005959303.tif 000037